(57)【要約】【課題】  放電灯５１の寿命末期の検出を容易にかつ、簡便な回路構成で実現する。【解決手段】  ハーフブリッジ形のインバータ回路を構成するコンデンサ１１を放電灯５１と回路グランド電位に接続し、放電灯５１の正常放電時において、コンデンサ１１の回路グランド電位を基準とした電圧を、ランプ電圧のピーク値より僅かに大きくなるように直流電源７１の電圧を設定する。さらに、放電灯５１のランプ電圧を検出する回路を備え、ランプ電圧のピーク値が回路グランド電位を下回ったときに、放電灯５１が異常放電であると識別するように回路構成する。【選択図】    図１
2005332793.tif 000002
【特許請求の範囲】
【請求項１】
交互にオンオフする順直列一対のスイッチング素子（２１・２２）を備え、前記各スイッチング素子（２１・２２）と逆並列に接続するフライホイールダイオード（４１・４２）を備え、以上の各素子とともにハーフブリッジ形のインバータ回路を構成するグランド電位に接続されたコンデンサ（１１）を備え、放電灯（５１）の正常放電時において、前記コンデンサ（１１）のグランド電位を基準とした電圧が、放電灯５１の放電灯電圧のピーク値より僅かに大きくなるよな電圧に設定された直流電源（７１）を備え、前記インバータ回路の高周波電圧を受ける点灯回路（５０）を備え、前記点灯回路（５０）は放電灯（５１）とそれに直列のバラスト用インダクタ（５２）を具備し、前記各スイッチング素子（２１・２２）を駆動する発振制御回路（６０）を備え、放電灯（５１）の電圧を検出して、発振制御回路（６０）に検知信号を出力する検出回路（３０）を備え、放電灯（５１）の寿命末期時等の異常放電時に、前記検出回路（３０）の検出信号がグランド電位に対して負になったことを検出して発振制御回路（６０）へ検知信号を出力し、点灯装置の出力を低下あるいは停止させることを特徴とする放電灯点灯装置。
【発明の詳細な説明】
【技術分野】
【０００１】  本発明は放電灯点灯装置に関する。特にその保護機能に関する。
【背景技術】
【０００２】  図３に従来例を示す。図３回路は放電灯５１の異常放電を監視するランプ電圧検出回路３０を備え、ランプ電圧検出回路の検知信号を受けて発振動作および発振動作停止する発振制御回路６０を備え、放電灯５１の寿命末期等の異常放電時には、点灯装置の出力を停止させる保護機能を備えた点灯装置である。ランプ電圧検出回路３０の構成は抵抗３１および抵抗３２によりランプ電圧を分圧し、コンデンサ３４を介して直流成分を除去、ダイオード３５・３６により倍電圧整流を行い、電圧のピーク値を検出する回路となっている。後段にはオペアンプ３３を設け、オペアンプの反転入力には基準電圧Ｖｔｈを接続されている。点灯回路は放電灯５１と直列に接続されたバラスト用インダクタ５２と放電灯５１に接続された予熱用コンデンサ５３からなる共振回路を利用して放電灯５１の始動および、点灯を維持するものである。ランプ電圧検出回路３０は、放電灯５１の寿命末期等の異常放電を、上記共振回路の共振電圧上昇を検出して動作する。抵抗３１および抵抗３２において分圧された放電灯５１のランプ電圧波形は、ダイオード３５・３６による倍電圧整流によりランプ電圧の相似波形を正の値として、オペアンプ３３の非反転入力に入力される。非反転入力に印可される電圧が、反転入力に接続された基準電圧を超えると、オペアンプ３３から放電灯５１の異常放電検知信号が発振制御回路６０入力され、スイッチング素子２１・２２の駆動を停止する。
【発明の開示】
【発明が解決しようとする課題】
【０００３】  図３装置においては、放電灯５１の異常放電を検出するためにランプ電圧を検出する手法を採用しているが、正常放電時と寿命末期の異常放電時のランプ電圧変化を明確に識別するために、直流成分除去用のコンデンサ３４と倍電圧整流回路としてダイオード３５・３６、更に、閾値を設定するための基準電圧の生成が必要であり、複雑かつ多くの回路素子が必要であった。
本発明は放電灯の寿命末期の検出を容易にかつ、簡便な回路構成で実現することを目的とする。
【課題を解決するための手段】
【０００４】  本発明においては、ハーフブリッジ形のインバータ回路を構成するコンデンサ（１１）を放電灯（５１）と回路グランド電位に接続し、放電灯（５１）の正常放電時において、コンデンサ（１１）の回路グランド電位を基準とした電圧を、ランプ電圧のピーク値より僅かに大きくなるように直流電源（７１）の電圧を設定する。さらに、放電灯（５１）のランプ電圧を検出する回路を備え、ランプ電圧のピーク値が回路グランド電位を下回ったときに、放電灯（５１）が異常放電であると識別するように回路構成する。
【発明の効果】
【０００５】  本発明によれば、放電灯の寿命末期の検出を容易にかつ、簡便な回路構成で実現することができる。
【発明を実施するための最良の形態】
【０００６】  本発明の実施形態を図１および図２によりを説明する。図１は本発明の回路構成を示すものである。本回路は放電灯５１の異常放電を監視するランプ電圧検出回路３０を備え、ランプ電圧検出回路の検知信号を受けて発振動作および発振動作停止する発振制御回路６０を備え、放電灯５１の寿命末期等の異常放電時には、点灯装置の出力を停止させる保護機能を備えた点灯装置である。ランプ電圧検出回路３０の構成は抵抗３１および抵抗３２によりランプ電圧を分圧し、ランプ電圧と相似なピーク値を後段のオペアンプ３３の反転入力へ入力する。オペアンプ３３の非反転入力は回路グランドに接続されている。点灯回路は放電灯５１と直列に接続されたバラスト用インダクタ５２と放電灯５１に接続された予熱用コンデンサ５３からなる共振回路を利用して放電灯５１の始動および、点灯を維持するものである。ハーフブリッジ形のインバータ回路を構成するコンデンサ１１は放電灯５１と回路グランド電位に接続されており、放電灯５１の正常放電時において、コンデンサ１１の回路グランド電位を基準とした電圧を、ランプ電圧のピーク値より僅かに大きくなるように直流電源７１の電圧を設定している。【０００７】  正常点灯時には、放電灯５１の放電電流が正負対称であるため、コンデンサ１１の両端電圧は、直流電源７１の電圧値の１／２となっているが、放電灯５１が寿命末期となり、片側のフィラメントが不活性状態になると、コンデンサ１１の両端電圧は変化する。放電灯５１の（ア）側のフィラメントが不活性状態になると、放電灯５１の整流効果により、コンデンサ１１の両端電圧は上昇し、（イ）側のフィラメントが不活性状態になるとコンデンサ１１の両端電圧は低下する。したがって、放電灯５１の正常放電時には、ランプ両端電圧波形Ｖ１は図２ａ−１）に示す波形となっており、正負対称波形となっている。このとき、回路グランドを基準とした放電灯５１とバラスト用インダクタ５２の接続点（ア）の電圧Ｖ２は図２ａ−２）に示すように、常に正の電圧が観測される。【０００８】  放電灯５１が寿命末期になると、一対のフィラメントのどちらかが不活性状態となり、放電灯５１の陰極降下電圧が上昇し、放電灯５１の両端電圧Ｖ１は図２ｂ−１）あるいはｃ−１）に示すような正負非対称な波形となる。このときの回路グランドを基凖とした放電灯５１とバラスト用インダクタ５２の接続点（ア）の電圧Ｖ２は、それぞれ図２ｂ−２）またはｃ−２）に示す波形となる。これは、放電灯５１の片方のフィラメントが不活性状態となったために生ずる整流効果により、コンデンサ１１と放電灯５１の接続点（イ）の回路グランドを基準とした電圧が変化したためである。回路グランドを基準とした放電灯５１とバラスト用インダクタ５２の接続点（ア）の電圧Ｖ２は正常放電時では図２ａ−２）の波形であるため常に正の値を示しており、オペアンプ３３の出力信号はないが、放電灯５１の寿命末期時には、回路グランドを基準とした放電灯５１とバラスト用インダクタ５２の接続点（ア）の電圧Ｖ２は図２ｂ−２）またはｃ−２）の波形となり、負の値がオペアンプ３３に入力される。このため、オペアンプ３３から発振制御回路６０へ検知信号が入力され、点灯装置の出力を停止させる。【０００９】  本実施例では、放電灯５１が異常放電であるか否かを検出するランプ電圧検出部において、負の電圧があるか否かを判定すれば良いので、回路部品を削減することができ、構成も簡略化できる。
【図面の簡単な説明】
【００１０】
【図１】本発明に係る放電灯点灯装置の回路図である。
【図２】本発明に係る放電灯点灯装置の指定部の電圧波形である。
【図３】従来の放電灯点灯装置の回路図である。
【符号の説明】
【００１１】１１：コンデンサ
２１・２２：スイッチング素子  ３０：ランプ電圧検出回路  ３１・３２：抵抗器
３３：オペアンプ  ３４：直流成分除去用コンデンサ  ３５・３６：ダイオード
４１・４２：フライホイールダイオード
５０：点灯回路  ５１：放電灯  ５２：予熱用コンデンサ
５３：バラスト用インダクタ  ６０：発振制御回路  ７１：直流電源
【図１】
2005332793.tif 000003
【図２】
2005332793.tif 000004
【図３】
2005332793.tif 000005